(57)【要約】【課題】  極めて簡単な構成で、作業性を大幅に向上すると共に、節電、寿命の延伸が図れる配電盤の表示装置の画面表示制御システムを提供する。【解決手段】  配電盤３０の液晶ディスプレイ２０と、所望の箇所に設置された、配電盤３０の液晶ディスプレイ２０のスイッチ２２とを備えた構成とした。  また、この構成の他、照明スイッチのＯＮ／ＯＦＦや、人センサによる人の検知の有無や、入退室セキュリティ設備による人の入退室に連動させて、配電盤３０の液晶ディスプレイ２０の画面表示をＯＮ／ＯＦＦさせるコントローラを備えるようにすると、一層、効果的である。【選択図】  図１
2007053846.tif 000002
【特許請求の範囲】
【請求項１】
配電盤の表示装置と、
所望の箇所に設置された、前記配電盤の表示装置のスイッチと、
を備えたことを特徴とする配電盤の表示装置の画面表示制御システム。
【請求項２】
配電盤の表示装置と、
所望の箇所に設置された照明スイッチと、
前記照明スイッチのＯＮ／ＯＦＦに連動させて、前記配電盤の表示装置の画面表示をＯＮ／ＯＦＦさせるコントローラと、
を備えたことを特徴とする配電盤の表示装置の画面表示制御システム。
【請求項３】
配電盤の表示装置と、
所望の箇所に設置された人センサと、
前記人センサによる人の検知の有無に連動させて、前記配電盤の表示装置の画面表示をＯＮ／ＯＦＦさせるコントローラと、
を備えたことを特徴とする配電盤の表示装置の表示制御システム。
【請求項４】
配電盤の表示装置と、
所望の箇所に設置された入退室セキュリティ設備と、
前記入退室セキュリティ設備による人の入退室に連動させて、前記配電盤の表示装置の画面表示をＯＮ／ＯＦＦさせるコントローラと、
を備えたことを特徴とする配電盤の表示装置の表示制御システム。
【発明の詳細な説明】
【技術分野】
【０００１】
本発明は、配電盤の監視用として、配電盤に取り付けられる液晶ディスプレイ等の表示装置の表示制御システムに関する。
【背景技術】
【０００２】
近年、配電盤の監視用として、配電盤上に液晶ディスプレイ等の表示装置を取り付けるケースが増えてきた。
図２に、従来の配電盤の概略構成を示す斜視図を示す。
図２に示すように、配電盤３０の液晶ディスプレイ２０が、オペレーター等の視認しやすい箇所に取り付けられている。
【０００３】
この従来の配電盤３０の監視用の液晶ディスプレイ２０は、この液晶ディスプレイ２０の寿命を延伸すること、また、節電の観点から、通常は、電源がＯＦＦとなり、何も表示されない。
一方、オペレーター等が液晶ディスプレイ２０の画面を触ると、配電盤３０の監視情報が画面に表示されるようになっている。
【０００４】
【特許文献１】特開２００３−３４６９９３
【発明の開示】
【発明が解決しようとする課題】
【０００５】
ところで、従来の配電盤の液晶ディスプレイは、上記したように、通常、電源がＯＦＦになり、何も表示されないことから、液晶ディスプレイの寿命の延伸、節電というメリットがある。
しかし、一方で、オペレータが配電盤を運用中に、液晶ディスプレイを随時触らないと表示されないので、作業効率が低下するという問題がある。
【０００６】
特に、配電盤から離れた箇所で、液晶ディスプレイの表示を見ながら作業を行う場合は、表示が消える度に画面を触りに配電盤まで逐次移動しなければならず、液晶ディスプレイを常時、表示するようにユーザー側からの要求もある。
【０００７】
しかし、一方で、液晶ディスプレイを常時表示すると、電源の消し忘れ等があった場合、液晶ディスプレイの寿命、節電の観点から好ましくはない。
【０００８】
この対策として、特許文献１に記載の発明のように、電気製品への配電を自動的に行うコンセントタップが開発されている。
このコンセントタップについて、図３を用いて説明する。
図３は、従来の自動配電を行うコンセントタップの外観斜視図である。
【０００９】
このコンセントタップ１００は、ドアに設けられた電気錠１１５、この電気錠１１５の解錠施錠信号により電源のオンオフ状態が切り換えられる複数のコンセント１１２ａ〜１１２ｄを備え、各コンセントの近傍には電源の配電状態を示す表示が為される。
【００１０】
しかし、この従来の自動配電を行うシステムでは、電気錠１１５の施錠信号により配電盤全体が電源オフの状態になるという問題がある。
また、オペレータの作業性の観点から、オペレータが必要とする場合だけ液晶ディスプレイをＯＮ／ＯＦＦするという要求を満たすのは困難である。
【００１１】
本発明は、上記課題（問題点）を解決し、極めて簡単な構成で、作業性を大幅に向上すると共に、節電、寿命の延伸が図れる配電盤の表示装置の画面表示制御システムを提供することを目的とする。
【課題を解決するための手段】
【００１２】
本発明の配電盤の表示装置の画面表示制御システムは、請求項１に記載のものでは、配電盤の表示装置と、所望の箇所に設置された、前記配電盤の表示装置のスイッチと、を備えた構成とした。
【００１３】
請求項２に記載の配電盤の表示装置の画面表示制御システムは、配電盤の表示装置と、所望の箇所に設置された照明スイッチと、前記照明スイッチのＯＮ／ＯＦＦに連動させて、前記配電盤の表示装置の画面表示をＯＮ／ＯＦＦさせるコントローラと、を備えた構成とした。
【００１４】
請求項３に記載の配電盤の表示装置の画面表示制御システムは、配電盤の表示装置と、所望の箇所に設置された人センサと、前記人センサによる人の検知の有無に連動させて、前記配電盤の表示装置の画面表示をＯＮ／ＯＦＦさせるコントローラと、を備えた構成とした。
【００１５】
請求項４に記載の配電盤の表示装置の画面表示制御システムは、配電盤の表示装置と、所望の箇所に設置された入退室セキュリティ設備と、前記入退室セキュリティ設備による人の入退室に連動させて、前記配電盤の表示装置の画面表示をＯＮ／ＯＦＦさせるコントローラと、を備えた構成とした。
【発明の効果】
【００１６】
本発明の配電盤の表示装置の画面表示制御システムは、上記のように構成したために、以下のような優れた効果を有する。
（１）請求項１に記載したように構成すると、非常に簡単な構成で、表示装置のスイッチをＯＮ／ＯＦＦすることにより、常時表示装置の画面を表示状態にしたり、或いは、非表示状態にすることが可能になり、画面を随時触る煩雑さが回避でき作業性が大幅に向上する。
（２）また、不必要時での画面表示を非表示状態とすることができるので、従来装置と同様に、表示装置の寿命の延伸、節電に効果がある。
【００１７】
（３）請求項２乃至４に記載したように構成すると、請求項１同様に、非常に簡単な構成で、自動的に必要な場合だけ表示装置の画面を表示状態にできるので、作業性が向上すると共に、表示装置の寿命の延伸、節電に効果がある。
【発明を実施するための最良の形態】
【００１８】
本発明の配電盤の表示装置の画面表示制御システムの一実施の形態について、図１を用いて説明する。
図１は、本発明の配電盤の表示装置の画面表示制御システムの基本構成及び基本動作を説明するための外観斜視図である。
【００１９】
本発明の配電盤の表示装置の画面表示制御システム１０の主要構成は、図１に示すように、部屋５０内部に配置された配電盤３０の表示装置である液晶ディスプレイ２０と、部屋５０の入り口箇所に、室内照明スイッチ５２の下方に設置された配電盤３０の液晶ディスプレイ２０のスイッチ２２である。
【００２０】
このようにすると、非常に簡単な構成で、部屋５０への入退室時において、室内照明のスイッチ５２同様に、液晶ディスプレイ２０のスイッチ２２もＯＮ／ＯＦＦすることにより、オペレータの入室時以降は常時液晶ディスプレイ２０の画面は表示状態になり、画面を随時触る煩雑さが回避でき作業性が向上する。
【００２１】
一方、オペレータの退室時以降は、液晶ディスプレイ２０の画面は非表示状態になり、従来装置同様に、液晶ディスプレイ２０の節電、寿命の延伸が図れる。
【００２２】
本発明の配電盤の表示装置の画面表示制御システムは、上述した実施の形態に限定されず、種々の変更が可能である。
上記実施の形態の他、照明スイッチのＯＮ／ＯＦＦや、人センサによる人の検知の有無や、入退室セキュリティ設備による人の入退室に連動させて、配電盤の表示装置の画面表示をＯＮ／ＯＦＦさせるコントローラを備えるようにすると、一層、確実に、自動的に必要な場合だけ液晶ディスプレイを表示状態にすることができ、より効果的である。
【図面の簡単な説明】
【００２３】
【図１】本発明の配電盤の表示装置の画面表示制御システムの基本構成及び基本動作を説明するための外観斜視図である。
【図２】従来の配電盤の概略構成を示す斜視図である。
【図３】従来の自動配電を行うコンセントタップの外観斜視図である。
【符号の説明】
【００２４】
１０：配電盤の表示装置の画面表示制御システム
２０：液晶ディスプレイ（表示装置）
２２：液晶ディスプレイのスイッチ
３０：配電盤
【図１】
2007053846.tif 000003
【図２】
2007053846.tif 000004
【図３】
2007053846.tif 000005